(57)【要約】  シューズアッパーは筒状で、爪先と、爪先と踵の間の部分でありかつタンを含む胴と、踵と、履き口とを備えている。胴は、甲の中央部を覆うタンと、甲の長手方向に直角な方向に沿ってタンの右側にありかつ甲の右側から足裏の右半分を覆う右側部分と、タンの左側にありかつ甲の左側から足裏の左半分を覆う左側部分とを備えている。タンと右側部分とが、タンの編糸と右側部分の編糸とが表裏の関係を一定に保ったまま重ねられて編目を形成するプレーティング編成により、シューズアッパーの周方向に沿って２目以上の編幅で編成された、右プレーティング領域１４により接続されている。さらに、タンと左側部分とが、タンの編糸と左側部分の編糸とが表裏の関係を一定に保ったまま重ねられて編目を形成するプレーティング編成により、シューズアッパーの周方向に沿って２目以上の編幅で編成された、左プレーティング領域１５により接続されている。シューズアッパーのタンとその両側の編地とを編機上で強固に接続できる。
2016194557.tif 000002
【特許請求の範囲】
【請求項１】
爪先と、爪先と踵の間の部分でありかつタンを含む胴と、踵と、履き口とを備える筒状のシューズアッパーにおいて、
胴は、甲の中央部を覆うタンと、甲の長手方向に直角な方向に沿ってタンの右側にありかつ甲の右側から足裏の右半分を覆う右側部分と、タンの左側にありかつ甲の左側から足裏の左半分を覆う左側部分とを備え、
タンの編糸と右側部分の編糸とが表裏の関係を一定に保ったまま重ねられている編目が、シューズアッパーの周方向に沿って２目以上以上続く右プレーティング領域により、タンと右側部分とが接続され、
かつ、タンの編糸と左側部分の編糸とが表裏の関係を一定に保ったまま重ねられている編目が、シューズアッパーの周方向に沿って２目以上以上続く左プレーティング領域により、タンと左側部分とが接続されていることを特徴とする、シューズアッパー。
【請求項２】
右プレーティング領域に、靴紐を通すための紐孔列が１列設けられ、かつ紐孔列と向かい合う他の紐孔列が、右プレーティング領域、タン、もしくは右側部分に設けられ、
左プレーティング領域に、靴紐を通すための紐孔列が１列設けられ、かつ紐孔列と向かい合う他の紐孔列が、左プレーティング領域、タン、もしくは左側部分に設けられていることを特徴とする、請求項１のシューズアッパー。
【請求項３】
筒状のシューズアッパーを前後少なくとも一対の針床を有する横編機上で編成する方法において、
爪先もしくは履き口から編成を開始して、爪先と、爪先と踵の間の部分でありかつタンを含む胴と、踵と、履き口とを編成し、
胴の編成では、甲の中央部を覆うタンと、
甲の長手方向に直角な方向に沿ってタンの右側にありかつ甲の右側から足裏の右半分を覆う右側部分と、
タンの左側にありかつ甲の左側から足裏の左半分を覆う左側部分と、
タンと右側部分とを接続し、かつタンの編糸と右側部分の編糸とが表裏の関係を一定に保ったまま重ねられて編目を形成するプレーティング編成により、シューズアッパーの周方向に沿って２目以上の編幅で編成された、右プレーティング領域と、
タンと左側部分とを接続し、かつタンの編糸と左側部分の編糸とが表裏の関係を一定に保ったまま重ねられて編目を形成するプレーティング編成により、シューズアッパーの周方向に沿って２目以上の編幅で編成された、左プレーティング領域、
とを編成し、
かつ胴の編成では、右側部分の編成、右プレーティング領域のプレーティング編成、タンの編成、左プレーティング領域のプレーティング編成、左側部分の編成の順に編成するステップと、左側部分の編成、左プレーティング領域のプレーティング編成、タンの編成、右プレーティング領域のプレーティング編成、右側部分の編成の順に編成するステップとを、交互に繰り返すことを特徴とする、シューズアッパーの編成方法。
【請求項４】
右プレーティング領域に、靴紐を通すための紐孔列を１列横編機上で形成し、かつ紐孔列と向かい合う他の紐孔列を、右プレーティング領域、タン、もしくは右側部分に横編機上で形成し、
左プレーティング領域に、靴紐を通すための紐孔列を１列横編機上で形成し、かつ紐孔列と向かい合う他の紐孔列を、左プレーティング領域、タン、もしくは左側部分に横編機上で形成することを特徴とする、請求項３のシューズアッパーの編成方法。
【発明の詳細な説明】
【技術分野】
【０００１】
この発明はシューズアッパーとその編成方法とに関する。
【背景技術】
【０００２】
シューズアッパーを編機により編成することが知られている。この場合、シューズアッパーの部位に応じて、伸縮性、強度、通気性等を変えるため、編糸の種類を部位に応じて変化させる必要がある。そこでインターシャ編成によりシューズアッパーを編成し、部位と部位との境界をインターシャの境界とすることが提案されている（特許文献１  US6931762B）。なおインターシャ編成では、部位と部位とはタックにより接続される。【０００３】
他の先行技術を示す。特許文献２（JPS54-21464B）及び特許文献３（JPH09-111619A）は、プレーティング編成を開示している。プレーティング編成では、２個の給糸口からの２本の編糸を重ねて編目列を編成し、一方の編糸が編地の表面に表れ、他方の編糸が編地の裏面に表れる。特許文献２は、プレーティング編成により編地に柄を表現することを提案している。特許文献３は、編地の表面に表れる編糸を切り替えるが、裏面に表れる編糸を切り替えないことにより、インターシャ柄を編成することを提案している。
【先行技術文献】
【特許文献】
【０００４】
【特許文献１】US6931762B
【特許文献２】JPS54-21464B
【特許文献３】JPH09-111619A
【発明の概要】
【発明が解決しようとする課題】
【０００５】
特許文献１のように、タックによりシューズアッパーの部位と部位とを接続すると、接続箇所は元となる編目にタックの目が重なる重ね目による接合となる。ここで、タンとその両側のように力が加わりやすい箇所をタックで接続すると、タック部に強い力が加わり編糸が切れる可能性がある。特に、タンの両側に靴紐を通すと、靴紐を通している孔に靴紐から強い力が加わり、紐孔が伸びる。またこの力がタック部に加わると、編糸が切れる可能性が増す。なおタンとその両側との接続部を、編成とは別に接着テープ、熱処理等により補強しても良いが、生産性が低下する。そこで、タンとその両側との接続部を、編機上で強固に接続する必要がある。【０００６】
この発明の課題は、タンとその両側の編地とが編機上で強固に接続されているシューズアッパーとその編成方法とを提供することにある。
【課題を解決するための手段】
【０００７】
この発明のシューズアッパーは、爪先と、爪先と踵の間の部分でありかつタンを含む胴と、踵と、履き口を備え、かつ筒状であり、
胴は、甲の中央部を覆うタンと、甲の長手方向に直角な方向に沿ってタンの右側にありかつ甲の右側から足裏の右半分を覆う右側部分と、タンの左側にありかつ甲の左側から足裏の左半分を覆う左側部分とを備え、
タンの編糸と右側部分の編糸とが表裏の関係を一定に保ったまま重ねられている編目が、シューズアッパーの周方向に沿って２目以上以上続く右プレーティング領域により、タンと右側部分とが接続され、
かつ、タンの編糸と左側部分の編糸とが表裏の関係を一定に保ったまま重ねられている編目が、シューズアッパーの周方向に沿って２目以上以上続く左プレーティング領域により、タンと左側部分とが接続されていることを特徴とする。【０００８】
この発明では、タンとその右側部分とが、タックではなく、プレーティング領域により接続されている。そしてプレーティング領域は、タンの編糸と右側部分の編糸とが表裏の関係を一定に保ったまま重ねられている編目から成り、その幅はシューズアッパーの周方向に沿って２目以上である。このためタンと右側部分は重ね目の列ではなく、プレーティング領域から成る面で接続され、接続強度が増す。同様に、タンと左側部分との接続強度も増す。【０００９】
好ましくは、右プレーティング領域に、靴紐を通すための紐孔列が１列設けられ、かつ紐孔列と向かい合う他の紐孔列が、右プレーティング領域、タン、もしくは右側部分に設けられ、
左プレーティング領域に、靴紐を通すための紐孔列が１列設けられ、かつ紐孔列と向かい合う他の紐孔列が、左プレーティング領域、タン、もしくは左側部分に設けられている。【００１０】
向かい合った２列の紐孔列を重ねるように、２列の紐孔列の中間で折り畳むと、向かい合った紐孔が重なって、靴紐を通すことができる。２個の紐孔を重ねて靴紐を通すので、紐孔が拡がりにくく、かつ紐孔に強い力が加わってもプレーティング領域で力を支持できる。【００１１】
この発明は、筒状のシューズアッパーを前後少なくとも一対の針床を有する横編機上で編成する方法において、
爪先もしくは履き口から編成を開始して、爪先と、爪先と踵の間の部分でありかつタンを含む胴と、踵と、履き口とを編成し、  
胴の編成では、甲の中央部を覆うタンと、
甲の長手方向に直角な方向に沿ってタンの右側にありかつ甲の右側から足裏の右半分を覆う右側部分と、
タンの左側にありかつ甲の左側から足裏の左半分を覆う左側部分と、
タンと右側部分とを接続し、かつタンの編糸と右側部分の編糸とが表裏の関係を一定に保ったまま重ねられて編目を形成するプレーティング編成により、シューズアッパーの周方向に沿って２目以上の編幅で編成された、右プレーティング領域と、
タンと左側部分とを接続し、かつタンの編糸と左側部分の編糸とが表裏の関係を一定に保ったまま重ねられて編目を形成するプレーティング編成により、シューズアッパーの周方向に沿って２目以上の編幅で編成された、左プレーティング領域、
とを編成し、
かつ胴の編成では、右側部分の編成、右プレーティング領域のプレーティング編成、タンの編成、左プレーティング領域のプレーティング編成、左側部分の編成の順に編成するステップと、左側部分の編成、左プレーティング領域のプレーティング編成、タンの編成、右プレーティング領域のプレーティング編成、右側部分の編成の順に編成するステップとを、交互に繰り返すことを特徴とする。【００１２】
このようにすると、タンをその左右の部分とプレーティング領域で接続したシューズアッパーを編成できる。そしてこのシューズアッパーでは、タンと左右の部分との接続強度が増す。  【００１３】
好ましくは、右プレーティング領域に、靴紐を通すための紐孔列を１列横編機上で形成し、かつ紐孔列と向かい合う他の紐孔列を、右プレーティング領域、タン、もしくは右側部分に横編機上で形成し、左プレーティング領域に、靴紐を通すための紐孔列を１列横編機上で形成し、かつ紐孔列と向かい合う他の紐孔列を、左プレーティング領域、タン、もしくは左側部分に横編機上で形成する。このようにすると、靴紐から加わる力に耐える紐孔とプレーティング領域とを横編機上で編成できる。【００１４】
この発明では、タンとその周囲から成る胴はC編みによりC字状に編成され、足裏にC字の開口が生じる。そして好ましくは、C字の開口を重ね目、タック等により閉じて、胴の右側部分と左側部分とを横編機上で接合する。【００１５】
横編機の針床上での各部の配置では、
・  右側部分と左側部分とが前後の針床上で向かい合い、
・  右プレーティング領域と左プレーティング領域とが前後の針床上で向かい合い、
・  タンの右半部と左半部とが前後の針床上で向かい合う。
そしてタンの右半部の最も左側の編目が、タンの左半部の最も右側の編目と接続されるように編成する。【００１６】
例えばタンの編糸と、右側部分及び左側部分との編糸とを異ならせるとする。編成がC編みなので、給糸口はタンに１個、右側部分に１個、左側部分に１個の少なくとも３個である。タンの中央部を編幅の一端、足裏の中央部を他端として、給糸口の配置は、
・  右側部分の給糸口が編幅の他端にあり、左側部分の給糸口とタンの給糸口とが、右側部分及び左側部分と左右のプレーティング領域との境界付近にある配置Aと、
・  左側部分の給糸口が編幅の他端にあり、右側部分の給糸口とタンの給糸口とが、右側部分及び左側部分と左右のプレーティング領域との境界付近にある配置Bとの間を、交互に繰り返す。【００１７】
そして、
・  右側部分の給糸口からの給糸範囲は胴の右側部分と右プレーティング領域で、
・  左側部分の給糸口からの給糸範囲は胴の左側部分と左プレーティング領域で、
・  タンの給糸口からの給糸範囲はタンと左右のプレーティング領域である。
【図面の簡単な説明】
【００１８】
【図１】実施例のシューズアッパーの側面図
【図２】実施例のシューズアッパーの平面図
【図３】プレーティング部の拡大平面図
【図４】実施例でのキャリア毎の給糸範囲を示す図
【図５】実施例でのシューズアッパーでの胴の編成工程図
【図６】変形例での編成を模式的に示す図
【発明を実施するための形態】
【００１９】
以下に、発明を実施するための最適実施例を示す。
【実施例】
【００２０】
図１〜図６に実施例とその変形を示し、図１はシューズアッパー２を平らに畳んだ状態を示し、図２は拡げた状態を示す。４は爪先、６は履き口で、８は足の甲と側部並びに足裏を包む胴で、爪先４，胴８，及び履き口６はいずれも筒状である。１０は履き口６と胴８の間の踵で、引き返しにより編成されている。シューズアッパー２の底部には、図示しない靴底を貼り付ける。【００２１】
５は編成が始まる編み出しのラインで、S,S'はその両端で、図１，図２の白抜き矢印の方向に、爪先４から履き口６へ編成するが、履き口６から爪先４へ向けて編成しても良い。履き口６は筒状で、開口７を備えている。踵１０は例えば３個の領域１０'、１０''、１０'''から成り、胴８の次に各領域１０'、１０''、１０'''を引き返し編みすることにより、ウェールの方向を変化させる。なお図１の黒矢印はコース方向で、白抜き矢印はウェール方向を表す。【００２２】
胴８は、足の甲の中心部を覆うタン１１と、足裏の右半分及び甲の右側部を覆う右側部分１２、足裏の左半分及び甲の左側部を覆う左側部分１３、及び左右の部分１２，１３とタン１１との間の左右のプレーティング領域１４，１５とを含んでいる。タン１１、左右のプレーティング領域１４，１５及び左右の部分１２，１３は、横編機上でC字状に編成され、C字の開口は左右の部分１２，１３の間の足裏側にある。そして接合部２０により、C字の開口の両側の編目を接合し、左右の部分１２，１３を無縫製で接合する。接合は例えば重ね目、あるいはタックにより行うが、接合方法は任意である。また横編機上で接合せずに、接着剤、縫製等により接合しても良い。シューズアッパー２は例えば無縫製で編成する。【００２３】
シューズを装着すると足の動きに応じて、シューズアッパー２には周方向に沿った引っ張り力が加わる。さらに、タンの周辺に靴紐を通す紐孔を設けると、靴紐の動きが影響し、紐孔が伸びてしまう。これに対して、左右の部分１２，１３の編糸とタン１１の編糸の双方でプレーティング編成する。するとタン１１は左右の部分１２，１３と、左右のプレーティング領域１４，１５から成る面で接合され、接合部の強度が高まる。このため、編地の伸びや動きを抑え、編糸が切れることを防ぐことができ、また紐孔が伸びるようなこともない。なおプレーティング編成では、２種類の編糸が、表裏の関係を一定に保ったまま重ねられて、編目を形成する。このため２個の給糸口を、位置を揃えるようにして、針床上を移動させ、針床に対する２個の給糸口の前後の関係により、表側に表れる編糸と裏側に表れる編糸が定まる。【００２４】
図３に示すように、左右のプレーティング領域１４，１５はいずれも例えば長方形状で、編幅は２目以上で、実施例では例えば１０目である。左右のプレーティング領域１４，１５には、長手方向に沿った紐孔列１６，１７が２列に設けられ、紐孔列１６，１７は対称軸１８に関して線対称で、対称軸１８を境にプレーティング領域１４，１５を折り畳むと、紐孔列１６，１７が重なるようにされている。紐孔列１６，１７はその一方が左右のプレーティング領域１４，１５にあれば良いが、より強度を上げるためには、各プレーティング領域１４，１５に各々２列の紐孔列１６，１７を設けることが好ましい。仮に２列の紐孔列１６，１７でも強度が不十分な場合、プレーティング領域１４，１５の編幅を広げ、各プレーティング領域に各々４列の紐孔列を設け、折り返してプレーティング領域１４，１５を４層状態で使用すると強固な紐孔列となる。【００２５】
紐孔列１６，１７の紐孔は、横編機上で編成できる。例えば紐孔がコース方向（図３の上下方向）に沿って２目の幅である場合、紐孔に位置する２目の編目をそれぞれ図３の上と下に目移しすると、２目幅の紐孔を形成できる。【００２６】
図４，図５に、タン１１，左右のプレーティング領域１４，１５，右側部分１２，及び左側部分１３の編成を示す。編成は、少なくとも前針床FBと後針床BBを備え、複数の給糸口３０から編糸を給糸する横編機上で行う。ここでは前針床FBで左側部分１３，左プレーティング領域１５を編成し、後針床BBで右側部分１２，右プレーティング領域１４を編成するが、前後の針床の割り当てを逆にしても良い。横編機は例えば連行ピンを有するキャリッジを備え、給糸口３０は連行ピンにより、所望の区間に対し、キャリッジに連行される。またこのような給糸口３０には通常の給糸口と、バネ等によりスイング自在なインターシャ用の給糸口とがあり、いずれを用いても良い。さらに、キャリッジに連行されるのではなく、自走する給糸口を用いても良い。【００２７】
編糸は、タン１１用と、右側部分１２用、及び左側部分１３用の少なくとも３本を用い、左右のプレーティング領域１４，１５を各２本の編糸により編成する。なお右側部分１２用の編糸と左側部分１３用の編糸は、例えば同種の編糸である。プレーティング編成では、２種類の編糸を揃えて編成し、一方の編糸がシューズアッパー２の表面に表れ、他方の編糸は裏面に隠れる。そしてプレーティング編成では、２個の給糸口３０，３０を揃えて移動させる。【００２８】
図４は、編幅Wに対する給糸口３０の割り当てを示し、左側部分１３に番号１の給糸口を、右側部分１２に番号３の給糸口を、タン１１に番号２の給糸口を割り当てる。図４はさらに、３個の給糸口の編成範囲を示し、各給糸口は各々の編成範囲内を往復する。また編成は、筒状編地を周回ではなく往復で編成するC編みで、C字の開口を接合部２０により閉じる。そして右プレーティング領域１４を番号３と番号２の給糸口から給糸し、左プレーティング領域１５では番号１と番号２の給糸口から給糸する。【００２９】
図５は胴の編成工程図で、下の1)から、上の11)への順に編成する。1)は、３個の給糸口３０の最初の配置を示し、番号１の給糸口が接合部２０側に、番号２，３の給糸口が左右のプレーティング領域１４，１５側にある。2)で番号１の給糸口により胴の左側部分１３を編成する。続いて3)で、左プレーティング領域１５を番号１，２の給糸口を揃えてプレーティング編成する。プレーティング編成では２個の給糸口からの編糸を上下に揃えて編目の列を形成し、このため２個の給糸口を揃えて移動させる。またこの時、番号２，３の給糸口からの編糸が左側部分１３で針に捕捉されず、またプレーティング領域１５で番号３の給糸口からの編糸が針に捕捉されないように、公知の蹴り返し等の処理を行う。なお自走式の給糸口の場合、不要な場所で編糸が針に捕捉されないように、給糸口を退避させる。【００３０】
プレーティング領域１５を編成すると、番号１の給糸口を編成から切り離し、4)でタン１１の左側部分１１Lを番号２の給糸口で編成し、図５の5)でタン１１の右側部分１１Rを番号２の給糸口で編成する。なお右側部分１１Rと左側部分１１Lは、図５での編幅の右端で接続されている。【００３１】
図５の6)で、番号２の給糸口と番号３の給糸口により、右プレーティング領域１４をプレーティング編成する。このとき番号１の給糸口の編糸が編成に関与しないように、蹴り返し等の処理を行う。図５の7)では、番号２の給糸口を編成から切り離し、番号３の給糸口により胴の右側部分１２を編成する。【００３２】
図５の7)の処理を完了した際に、給糸口３０の配置は1)の最初の配置に対し、番号１の給糸口と番号３の給糸口とを入れ替えたものになっている。そこで7)の状態から1)の状態へ向けて、2)〜7)とは逆の順序で、かつ編成方向を逆にして編成する。すると給糸口３０の配置は1)の最初の配置に戻り、シューズアッパーを前後各１コース分編成できる。従って、1)での給糸口３０の配置と、7)での給糸口３０の配置の、一方が最初の配置、他方が最後の配置となり、給糸口３０の配置はこれらの２つの配置の間を変化する。【００３３】
図５の７）の状態から1)の状態へ戻るための編成の一部を示す。図５の8)で、左右のプレーティング領域１４，１５に紐孔を形成すると共に、胴の左側部分１３と右側部分１２とを接続し、接合部２０でC字の開口を閉じる。紐孔の形成は、例えば孔内に位置する編目を左右に移動させて他の編目に重ねることにより行う。【００３４】
図５の9)は7)の編成方向を逆にしたもの、10)は6)の編成方向を逆にしたもの、図５の11)は5)の編成方向を逆にしたものである。以下同様に、図５の4),3),2)の編成を、この順でかつ編成方向を逆にして実行すると、図５の1)の状態に戻る。図４，図５の編成前に、スタートライン５からタン１１の手前までの筒状編成があり、例えば番号１，３の給糸口の一方を用いて編成する。図４，図５の編成後に、踵１０の編成と、履き口６編成があり、例えば番号１，３の給糸口の一方を用いて編成する。【００３５】
図６は、変形例での胴の編成を示す。この変形例では左右のプレーティング領域１４，１５を各々２個のプレーティング領域１４、１４'、１５，１５'に分割し、これに伴い給糸口３０を５個用いる。各給糸口への編成範囲の割り当てを図６に示し、図６の下側の給糸口の配置と、上側の給糸口の配置との間を往復するように編成する。使用する編糸の太さや強度を変えて段階的にしたり、色等を変更することで、種々のデザインに対応することができる。【００３６】
２  シューズアッパー    ４  爪先    ５  スタートライン
６  履き口    ７  開口    ８  胴    １０  踵    １１  タン
１２  右側部分    １３  左側部分    １４，１５  プレーティング領域
１６，１７  紐孔列    １８  対称軸    ２０  接合部    ３０  給糸口
FB  前針床    BB  後針床    W  編幅      
【図１】
2016194557.tif 000003
【図２】
2016194557.tif 000004
【図３】
2016194557.tif 000005
【図４】
2016194557.tif 000006
【図５】
2016194557.tif 000007
【図６】
2016194557.tif 000008
【手続補正書】
【提出日】平成29年11月20日(2017.11.20)
【手続補正１】
【補正対象書類名】特許請求の範囲
【補正対象項目名】請求項２
【補正方法】変更
【補正の内容】
【請求項２】
右プレーティング領域に、靴紐を通すための第１の紐孔列が１列設けられ、かつ第１の紐孔列と向かい合う第２の紐孔列が、右プレーティング領域、タン、もしくは右側部分に設けられ、
左プレーティング領域に、靴紐を通すため第３の紐孔列が１列設けられ、かつ第３の紐孔列と向かい合う第４の紐孔列が、左プレーティング領域、タン、もしくは左側部分に設けられていることを特徴とする、請求項１のシューズアッパー。
【手続補正２】
【補正対象書類名】特許請求の範囲
【補正対象項目名】請求項４
【補正方法】変更
【補正の内容】
【請求項４】
右プレーティング領域に、靴紐を通すための第１の紐孔列を１列横編機上で形成し、かつ第１の紐孔列と向かい合う第２の紐孔列を、右プレーティング領域、タン、もしくは右側部分に横編機上で形成し、
左プレーティング領域に、靴紐を通すための第３の紐孔列を１列横編機上で形成し、かつ第３の紐孔列と向かい合う第４の紐孔列を、左プレーティング領域、タン、もしくは左側部分に横編機上で形成することを特徴とする、請求項３のシューズアッパーの編成方法。
【手続補正３】
【補正対象書類名】明細書
【補正対象項目名】０００９
【補正方法】変更
【補正の内容】
【０００９】
好ましくは、右プレーティング領域に、靴紐を通すための第１の紐孔列が１列設けられ、かつ第１の紐孔列と向かい合う第２の紐孔列が、右プレーティング領域、タン、もしくは右側部分に設けられ、
左プレーティング領域に、靴紐を通すための第３の紐孔列が１列設けられ、かつ第３の紐孔列と向かい合う第４の紐孔列が、左プレーティング領域、タン、もしくは左側部分に設けられている。
【手続補正４】
【補正対象書類名】明細書
【補正対象項目名】００１３
【補正方法】変更
【補正の内容】
【００１３】
好ましくは、右プレーティング領域に、靴紐を通すための第１の紐孔列を１列横編機上で形成し、かつ第１の紐孔列と向かい合う第２の紐孔列を、右プレーティング領域、タン、もしくは右側部分に横編機上で形成し、左プレーティング領域に、靴紐を通すための第３の紐孔列を１列横編機上で形成し、かつ第３の紐孔列と向かい合う第４の紐孔列を、左プレーティング領域、タン、もしくは左側部分に横編機上で形成する。このようにすると、靴紐から加わる力に耐える紐孔とプレーティング領域とを横編機上で編成できる。
【国際調査報告】
2016194557.tif 000009
2016194557.tif 000010
2016194557.tif 000011